(57)【特許請求の範囲】
【請求項１】
観察用光源からの光を照明系を介して被検眼の眼底に照射し、照射された眼底の像を撮影光学系を介して撮影する眼底カメラにおいて、
観察用光源の波長を可視光または赤外光に切り換える手段と、
撮影光学系の対物レンズと合焦レンズの間に配置される開口絞りとを備え、
観察用光源の波長が可視光のときは前記開口絞りが水晶体前面と略共役な位置に配置され、前記波長が赤外光に切り換えられたときには前記開口絞りの位置が水晶体内部と略共役な位置に配置されることを特徴とする眼底カメラ。
【請求項２】
観察用光源の波長の切り換えに応じて観察手段を切り換えることを特徴とする請求項１に記載の眼底カメラ。
【請求項３】
撮影光学系中の眼底共役位置に撮影範囲を決めるマスクを配して、観察用光源の波長の切り換えに応じて前記マスクの形状を変えることを特徴とする請求項１又は２に記載の眼底カメラ。
【発明の詳細な説明】
【０００１】
【発明の属する技術分野】
本発明は、眼底カメラ、更に詳細には、観察用光源からの光を照明系を介して被検眼の眼底に照射し、照射された眼底の像を撮影光学系を介して撮影可能な、散瞳型と無散瞳型の機能を兼ね備えた眼底カメラに関する。
【０００２】
【従来の技術】
光源からの光で照明された眼底からの反射光を結像させ眼底像を撮影するカメラとして、一般的には散瞳型眼底カメラと無散瞳型眼底カメラが知られている。散瞳型眼底カメラは、主に可視光の光源を使用し、画角を広く撮影できカメラ自体のアオリ機構をもつことにより眼底の隅々まで撮影を可能としている。この種の眼底カメラの欠点としては被検眼を散瞳する必要があり、被検者に多大の負担を強いることである。一方、無散瞳型の眼底カメラでは、光源として赤外光を使用することから被検眼を散瞳させる必要はないが、画角は散瞳型ほど広くなく眼底黄班部を中心に撮影が行なわれる。
【０００３】
近年になりこれらの散瞳型と無散瞳型の機能を兼ね備えた散瞳、無散瞳一体型眼底カメラが実現されている。
【０００４】
【発明が解決しようとする課題】
このような眼底カメラにおいては、照明光の反射光を除去するために、開口絞りが撮影光路中に配置される。この開口絞りは水晶体、角膜、虹彩での照明光の反射光を除去し、かつ瞳孔から通じてくる眼底からの反射光をなるべく多く撮影光学系に導かねばならないので、絞り径は瞳孔径に合わせて決めるのが最良である。一方開口絞り位置に関しては散瞳時は開口絞りが水晶体前面にくるのが最適であるが、無散瞳時は瞳孔径が小さくなるので水晶体内部と略共役な位置にくるのが最適となる（特開昭６２−１７９４３１号公報）。
【０００５】
このような状況から散瞳時の撮影と無散瞳時の撮影とでは最適の開口絞り径、開口絞り位置が異なるので、開口絞りの位置あるいは径を固定してしまうと、散瞳、無散瞳時の両方の撮影に対して最良の眼底像を撮影することができなかった。
【０００６】
本発明は、このような問題を解決するためになされたもので、散瞳時の撮影でも無散瞳時の撮影でも最良の眼底像を撮影することができる眼底カメラを提供することをその課題とする。
【０００７】
【課題を解決するための手段】
本発明は、この課題を解決するために、観察用光源からの光を照明系を介して被検眼の眼底に照射し、照射された眼底の像を撮影光学系を介して撮影する眼底カメラにおいて、観察用光源の波長を可視光または赤外光に切り換える手段と、撮影光学系の対物レンズと合焦レンズの間に配置される開口絞りとを備え、観察用光源の波長が可視光のときは前記開口絞りが水晶体前面と略共役な位置に配置され、前記波長が赤外光に切り換えられたときには前記開口絞りの位置が水晶体内部と略共役な位置に配置される構成を採用している。
【００１２】
【発明の実施の形態】
以下図面に示す実施の形態に従って本発明を詳細に説明する。
【００１３】
図１に本発明に係わる眼底カメラを示す。観察用光源であるランプＬＡがミラーＭ１の中心に配置され、このランプＬＡから発せられた光は、可視光、赤外光の帯域の波長を含み、コンデンサーレンズ１、撮影用光源であるストロボ（フラッシュランプ）ＳＲ、コンデンサーレンズ２を経て、全反射ミラーＭ２によって反射され、続いてレンズ３、リング状照明を形成するためのリングスリット４、さらにリレーレンズ５、対物レンズの反射をとるための黒点板６、リレーレンズ７、中心に穴の開いた穴あき全反射ミラーＭ３で反射されてから対物レンズ８を経て、被検眼Ｅの瞳Ｅｐより眼底Ｅｒに入射される。フィルターＦは、可視光カットフィルターで眼底カメラを無散瞳型として使用する場合に光路に挿入され、それにより光源ＬＡからの光の波長はほぼ赤外光の波長となり、一方散瞳型として使用される場合には図示したように、光路から離脱される。
【００１４】
眼底Ｅｒからの反射光は再び瞳Ｅｐから対物レンズ８を介して受光され、穴あき全反射ミラーＭ３の穴を通過し、開口絞り３１で絞られて、更に、合焦レンズ９、結像レンズ１０を通過し、リターンミラーＭ４に入射する。開口絞り３１は、対物レンズ８を介して被検眼Ｅの水晶体前面に結像される位置に配置される。また開口絞り３１と穴あき全反射ミラーＭ３の穴間には、開口絞り３１より径が小さい開口絞り３０が光路に挿脱可能に配置されている。この開口絞り３０は、眼底カメラが散瞳型として用いられるときには、図示したように光路から離脱され、また無散瞳型として用いられる場合は光路に挿入される。この挿入される位置は、開口絞り３０が対物レンズ８を介して被検眼Ｅの水晶体内部（ほぼ中央部）に結像される位置に設定される。
【００１５】
リターンミラーＭ４に入射した光は、観察時にはリターンミラーＭ４、ミラーＭ５で反射され、視野絞り１２、フィールドレンズ１３を介して、接眼レンズ１４により検者Ｓに観察される。リターンミラーＭ４は、フィルム１１に撮影する場合には、光路から外される。
【００１６】
また、眼底カメラは、フィルムの代わりにＣＣＤカメラでも撮影できるように構成されており、ＣＣＤカメラで撮影する場合には、ミラーＭ５、Ｍ６が光路から離脱して眼底像がレンズ２３を介して撮影用ＣＣＤカメラ２４に導かれる。更に、無散瞳型で眼底カメラが使用される場合は、赤外光の観察になるので、接眼レンズ１４を介した観察に代わり赤外線に感度を有する観察用ＣＣＤ２６が設けられる。赤外光での観察時には、ミラーＭ５が光路から離脱してリターンミラーＭ４で反射した光束はミラーＭ６で反射され、フィルター２１、レンズ２５を介して観察用ＣＣＤカメラ２６に入射する。
【００１７】
また、上記ミラーＭ５とＭ６間には、眼底共役位置に配置され撮影範囲を決めるためのマスク３２が設けられる。このマスク３２は眼底カメラが無散瞳型として使用される場合には、マスク３３と交換される。マスク３３はほぼ円形の形状をしており、またマスク３２は上下部がカットされ、左右方向が引き伸ばされた小判型の形状になっており、透過部の面積はマスク３３より大きくなっている。
【００１８】
なお、図１において、フィルターＦ１は蛍光撮影のときに照明系の光路に挿入されるエキサイターフィルターであり、フィルターＦ２は蛍光撮影のときに撮影系の光路内に挿入されるバリアーフィルターである。
【００１９】
このような構成において、被検眼を散瞳させ、眼底カメラが散瞳型として使用される場合は、図示したように、フィルターＦ、開口絞り３０は光路から離脱しており、マスク３２が撮影光路に挿入されている。検者は、ミラーＭ５が図示の位置にあるので、可視光で照明された眼底からの像を接眼レンズ１４を介して観察する。この場合、撮影光学系の開口絞りは開口絞り３１となっている。開口絞り３１は対物レンズ８を介して被検眼Ｅの水晶体前面に結像される位置に配置されおり、開口絞り３１の像は散瞳して大きくなった瞳Ｅｐの径に合わせて大きな径の像となっているので、眼底から瞳孔を通じて多くの反射光を導くことができ、また有害な反射光を同時にカットすることができる。
【００２０】
眼底像をフィルム１１に撮影記録する場合は、シャッターを押すとミラーＭ４が跳ね上がり光を透過する位置で固定され、その間にストロボＳＲが発光して撮影が行われる。ＣＣＤカメラ２４で撮影記録する場合は、シャッターを押すとミラーＭ５、Ｍ６がそれぞれＣＣＤカメラ２４へ光を透過させる方向に動き、眼底Ｅｒからの反射光がマスク３２を介してＣＣＤカメラ２４に到達し、眼底像がＣＣＤカメラ２４で撮影される。
【００２１】
一方、被検眼を無散瞳状態で撮影する無散瞳型に切り換えると、フィルターＦが光路に挿入され、それにより観察用光源ＬＡからの可視光がカットされるので、光源ＬＡからでる光束の波長は可視光から赤外光にその波長特性が切り換えられる。また無散瞳型に切り換えられると、開口絞り３０が光路に挿入されるとともに、マスクが無散瞳撮影用マスク３３に切り換えられる。
【００２２】
このとき観察光はフィルターＦを透過して可視光がカットされているため可視光は被検眼に照射されず、被検眼は縮瞳しないので観察が可能となる。しかし赤外光での観察になるので肉眼では観察できないため、ミラーＭ５を光路から外し、観察用ＣＣＤカメラ２６で観察を行う。この場合、撮影光学系の開口絞りは挿入された開口絞り３０が有効になり、開口絞り３１は光線有効径よりも十分に大きいため光学系に影響を及ぼすことはない。
【００２３】
開口絞り３０は、図２に示すように、対物レンズ８により被検眼Ｅの水晶体Ｅｃの内部で結像してそこに開口部の像３０’が形成されるような位置に配置されており、またその開口絞り３０の径は開口絞り３１の径より小さく、開口絞り３０の開口部の像３０’の径は赤外光で照射されるときの小さな瞳孔径とほぼ同じような径となっている。従って、開口絞り径が瞳孔径に対応しているので眼底からの反射光を多く撮影光学系に導くことができる。また、同図から明らかなように、開口絞り３０の像が水晶体内部に形成される場合の眼底照明角φ１（実線で図示）は、開口絞り３０の像が水晶体前面（瞳の位置に対応）に形成される場合の眼底照明角φ２（一点鎖線で図示）より小さく設定できるので、眼底中心部の光量を相対的に多くすることができる。従って、眼底から瞳孔を通じて多くの反射光を導くことができ、良好な観察、撮影が可能になる。
【００２４】
観察後、眼底像をフィルム１１に撮影するときは、シャッターを押すと、ミラーＭ４が光路から外れ、またＣＣＤカメラ２４で撮影するときは、ミラーＭ６が光路から外れ、その間にストロボＳＲが発光して眼底からの反射光がフィルム１１または撮影用ＣＣＤカメラ２４に到達し、眼底像がそれぞれフィルム１１あるいはＣＣＤカメラ２４に撮影される。
【００２５】
なお、上述した実施形態では、開口絞り３１は散瞳、無散瞳の切り換えに関係なく、固定されているが、無散瞳型に切り換えた場合、光路から離脱させるようにしてもよい。
【００２６】
【発明の効果】
以上説明したように、本発明では、観察用光源の波長が可視光のときは、撮影光学系の対物レンズと合焦レンズの間に配置される開口絞りが水晶体前面と略共役な位置に配置され、前記波長が赤外光に切り換えられたときには、前記開口絞りの位置が水晶体内部と略共役な位置に配置されるので、散瞳時の撮影でも無散瞳時の撮影でも最良の眼底像を撮影することができる。
【図面の簡単な説明】
【図１】本発明の眼底カメラの全体の構成を示す光学図である。
【図２】開口絞りの像の位置と照明光の関係を示す光学図である。
【符号の説明】
ＬＡ  照明光源
ＳＲ  ストロボ、
Ｆ  可視光カットフィルタ
Ｅｒ  眼底
Ｅｐ  瞳
２４  撮影用ＣＣＤカメラ
２６  観察用ＣＣＤカメラ
【図１】
0004605858.tif 000002
【図２】
0004605858.tif 000003